(57)【特許請求の範囲】
【請求項１】
回動軸の周りに配設され、現像剤受入れ口を有する現像剤収容部をそれぞれ備えた複数の現像器を、前記回動軸を中心に潜像担持体に対向した現像位置に回動させて現像を行う回動型現像装置と、
前記現像器に着脱可能に取付けられ、該現像装置と一体に回動し、かつ前記現像剤受入れ口に対向し現像剤を補給する現像剤補給口を有する現像剤容器とを備えた画像形成装置であって、
前記現像器が所定の現像位置に回動される際、前記現像剤補給口の上方部位に貯留されている現像剤の移動を阻止するように、前記現像剤容器の現像剤補給口の現像器回動方向下流側の縁部に移動阻止部を設けた画像形成装置において、
前記現像剤容器の周壁内面における前記移動阻止部自由端の対向位置より前記回動方向上流側の所定位置に、前記現像剤補給口の上方部位に貯留されている現像剤が、前記現像器の所定現像位置での回動停止に伴って前記移動阻止部の自由端を越えて飛び出るのを防止する飛出防止部を、該飛出防止部の自由端が前記移動阻止部の自由端より前記回動軸に近い位置をとるように突設したことを特徴とする画像形成装置。
【発明の詳細な説明】
【０００１】
【発明の属する技術分野】
本発明は、ファクシミリ、複写機、プリンタ等の画像形成装置に係わり、詳しくは、回動軸の周りに配設された複数の現像器を有する回動型現像装置の各現像器に着脱可能に取り付けられる現像剤容器の改良に関するものである。
【０００２】
【従来の技術】
従来、この種の画像形成装置の回動型現像装置として、フルカラープリンタの現像器ユニットが知られている。この現像器ユニットは、複数の現像器と、これら複数の現像器にそれぞれ着脱可能に取り付けられた現像剤容器としてのトナーカートリッジとを備えている。そして、潜像担持体としての例えばベルト状の感光体に対向する現像位置に各現像器を順次回動し、感光体の潜像を現像剤としてのトナーで現像するものである。
【０００３】
ところが、現像器ユニットの回動により各現像器を現像位置に移動するとき、該現像器に着設されたトナーカートリッジの現像剤補給口としてのトナー補給口上に貯留されるトナーが移動し、該トナー補給口上でのトナーの貯留量が減少してトナーカートリッジから現像器現像剤収容部としてのホッパへの補給が十分に行えないことがある。特に、トナーカートリッジ内のトナーが少量となった場合には、トナー補給口の上方部位でのトナーの貯留が足らなくなりがちである。
【０００４】
そこで本発明の出願人は、現像剤収容器（トナーカートリッジ）の現像剤排出口（トナー補給口）近傍に、現像装置（現像器ユニット）の回動に伴って現像剤排出口の上方を通過するように移動しようとする収容現像剤（トナー）の少なくとも一部について、その通過を阻止して現像剤排出口上に貯留させる現像剤通過阻止部（仕切部）を設けるようにした画像形成装置を提案している（特開平８−３２８３４６号公報）。
【０００５】
【発明が解決しようとする課題】
ところが、上述のように、トナーカートリッジのトナー補給口に仕切部を設けてトナーをトナー補給口の上方部位に貯溜させるようにしても、現像器が現像位置に到達し停止した際に、その停止時のショックでトナー補給口の上方部位に貯留されているトナーが仕切部の先端部を越えて飛び出すことがある。飛び出したトナーは、トナーカートリッジ底部に移動してしまう。よって、その分だけトナー補給口の上方部位に貯溜されているトナー量が減少し、ホッパへの供給が不足することになる。
【０００６】
本発明は以上の問題点に鑑みなされたものであり、その目的とするところは、回動型現像装置の回動により現像器が現像位置に到達して停止した際、その停止時のショックにより現像剤容器の補給口上方部位に貯留されている現像剤が移動阻止部の先端部を越えて飛び出ることを防止し、該補給口上方部位に貯留されている現像剤を減少させないようにして、現像剤容器から現像器の現像剤収容部に補給ができる画像形成装置を提供することである。
【０００７】
【課題を解決するための手段】
上記目的を達成するために、請求項１の発明は、回動軸の周りに配設され、現像剤受入れ口を有する現像剤収容部をそれぞれ備えた複数の現像器を、前記回動軸を中心に潜像担持体に対向した現像位置に回動させて現像を行う回動型現像装置と、前記現像器に着脱可能に取付けられ、該現像装置と一体に回動し、かつ前記現像剤受入れ口に対向し現像剤を補給する現像剤補給口を有する現像剤容器とを備えた画像形成装置であって、前記現像器が所定の現像位置に回動される際、前記現像剤補給口の上方部位に貯留されている現像剤の移動を阻止するように、前記現像剤容器の現像剤補給口の現像器回動方向下流側の縁部に移動阻止部を設けた画像形成装置において、前記現像剤容器の周壁内面における前記移動阻止部自由端の対向位置より前記回動方向上流側の所定位置に、前記現像剤補給口の上方部位に貯留されている現像剤が、前記現像器の所定現像位置での回動停止に伴って前記移動阻止部の自由端を越えて飛び出るのを防止する飛出防止部を、該飛出防止部の自由端が前記移動阻止部の自由端より前記回動軸に近い位置をとるように突設したことを特徴とするものである。
この回転型現像装置においては、現像剤容器の周壁内面における移動阻止部の自由端の対向位置から回転方向の上流側の所定位置に、移動阻止部の自由端を越えて飛び出ることを防止する飛出防止部を突設した。しかも、飛出防止部の自由端が移動阻止部の自由端より回転軸に近く、現像器が所定の現像位置をとる場合、飛出防止部の自由端は移動阻止部の自由端より下方となる。これにより、現像器が現像位置に到達し停止した際、その停止時のショックにより現像剤容器の補給口上方部位に貯留されている現像剤が移動阻止部の先端部を越えて飛び出ることを確実に防止する。
【００１１】
【発明の実施の形態】
以下、本発明を画像形成装置であるフルカラープリンタに適用した一実施形態について説明する。
図１は本実施形態に係るフルカラープリンタの概略構成図である。
潜像担持体としてのベルト状感光体１は、回転ローラ２、３により回転可能に支持され、矢印Ａ方向に回転駆動されながら、帯電装置４により帯電された後、レーザ光学装置５により画像情報に基づき走査露光されて、表面に静電潜像が形成される。ここで露光する画像情報は所望のフルカラー画像を、イエロー、マゼンタ、シアン及び黒の色情報に分解した単色の画像情報である。感光体１上に形成された静電潜像は回動型現像装置としての現像器ユニット６のイエロー現像器、マゼンタ現像器及びシアン現像器と、現像装置としての黒現像器７とにより各々所定の現像剤としてイエロトナー、マゼンタトナー、シアントナー及び黒トナーで現像され、これにより、感光体１上に各色トナー画像が形成される。感光体１上に形成された各色トナー画像は、感光体１と同期して図中矢印Ｂ向きに回転する中間転写体としての中間転写ベルト１０上にイエロトナー画像、マゼンタトナー画像、シアントナー画像及び黒トナー画像が重ね合わせて転写されることで、合成画像としてのフルカラー画像に合成される。一方転写紙１７Ａは、中間転写ベルト１０の回転にタイミングを合わされながら、給紙カセット１７から給紙ローラ１８、搬送ローラ１９、１９及びレジストローラ２０、２０を経由されて転写部に搬送される。そして、転写部の転写ローラ１４により、中間転写ベルト１０上に重ね合わされたイエロトナー画像、マゼンタトナー画像、シアントナー画像及び黒トナー画像が、転写紙１７Ａ上に一括転写される。転写終了後の転写紙１７Ａは定着装置５０によりトナー像が定着されたフルカラープリントとして機外に排出される。
【００１２】
図２は本実施形態に係る現像器ユニットの概略構成図である。現像器ユニット６には、ほぼ同型の３つの現像室に区画される現像器ケーシング６０が回転中心Ｏを中心として回転自在に支持されており、ケーシング６０は不図示の駆動機構により矢印Ｃ方向に回動される。また、各現像室には各現像器６２Ｙ、Ｍ、Ｃがそれぞれ着脱自在に支持されている。各現像器６２Ｙ、Ｍ、Ｃには、現像剤担持体としての円筒状の現像ローラ６３Ｙ、Ｍ，Ｃが回転可能に支持されている。各現像ローラ６３Ｙ、Ｍ，Ｃはケーシング６０に開口された開口部６０ａからその一部が外部に露出可能となるように配置され、色情報に同期して図中矢印Ｃ方向に回動し、対応する静電潜像を現像する。各現像器６２Ｙ、Ｍ、Ｃは非磁性一成分現像剤を用いた現像器であり、それぞれイエロー、マゼンタ及びシアンのトナーが収納され、回転中心Ｏを中心に選択的に現像位置に回動して、順次感光体１上に形成された静電潜像を現像し、上述のように各現像器６２Ｙ、Ｍ、Ｃを中間転写ベルト１０及び転写紙１７Ａ上に重ね合わせることにより、フルカラー画像を形成する。
【００１３】
図３はイエロー用の現像器６２Ｙを感光体１と共に示した正面図である。
図４はイエロー現像器６２Ｙの縦断面図である。各色用の現像器６２Ｙ、Ｍ、Ｃは同一構成及び同一動作をとるので、イエロー現像器６２Ｙについてのみ説明する。現像器６２Ｙは感光体１の一側斜下方に配置され、現像器の斜上方に位置する感光体１に形成される静電潜像に非磁性一成分現像剤としてのトナーを供給する。現像位置にある現像器６２Ｙの上方に形成される開口部６００ａには、感光体１に対向するように現像ローラ６３Ｙが感光体１と所定の周速比をもって感光体移動方向と同方向に回動されるように配設される。また、現像ローラ６３Ｙの下方には、発泡ポリウレタン等の弾性体からなるトナー供給部材としての供給ローラ６４Ｙが現像ローラ６３Ｙと摺擦し、かつその摺擦部において現像ローラ６３Ｙに対し所定の周速比をもって同方向に回動されるように設けられている。現像ローラ６３Ｙよりも下流側で、上記開口６００ａの近傍には、金属薄板等の弾性体からなるブレード６５Ｙが、その一端近傍で現像ローラ６３Ｙに接するように設けられている。
【００１４】
また、現像器６２Ｙの一側には現像剤収容部としてのホッパ６１０Ｙが設けられており、ホッパ６１０Ｙは現像剤容器６１１Ｙと連通している。第１トナー搬送スクリュー６６Ｙは、ホッパ６１０Ｙから現像器６２の他方側板まで現像ローラ６３Ｙ及び供給ローラ６４Ｙと平行に配設され、図４の右側から左側（図３の手前側から奥側）に向けてトナーを搬送するように、現像ローラ６３Ｙ及び供給ローラ６４Ｙに連動し、所定の周速比をもって回転される。ケーシング６０はその一部が供給ローラ６４Ｙに接するように配設されており、現像ローラ６３Ｙ、供給ローラ６４Ｙ及びケーシング６０により、第１トナー搬送スクリュー６６Ｙを取り巻くトナー搬送スペース６８Ｙが形成される。
【００１５】
そして、第１トナー搬送スクリュー６６Ｙは所定方向に回転することにより、ホッパ６１０Ｙから上記トナー搬送スペース６８Ｙ内にトナーを搬送ながら、供給ローラ６４Ｙ上にトナーを供給する。供給ローラ６４Ｙ上に供給されたトナーは、供給ローラ６４Ｙにより現像ローラ６３Ｙ表面に帯電されながら供給され、現像ローラ６３Ｙ表面に担持される。現像ローラ６３Ｙ表面に担持されたトナーは、ブレード６５Ｙにより均一かつ所定厚さの薄層とされ、感光体１の表面に形成された静電潜像を接触あるいは非接触現象により現像する。
【００１６】
なお、図３中の導電性繊維等からなる除電ブラシ７０Ｙは現像ローラ６３Ｙに軸方向全幅にわたって当接し、現像ローラ６３Ｙとの間に所定の電圧差を設けることで、感光体１上の静電潜像に対する現像ローラ６３Ｙ上のトナー消費差による履歴及びこれに起因する残像の発生を防止している。
【００１７】
ところで、上記現像工程で使用されなかったトナーは、第１トナー搬送スクリュー６６Ｙによりホッパ６１０Ｙと逆側の現像器端部に搬送される。現像ローラ６３Ｙ及び供給ローラ６４Ｙの軸方向有効径部外側には、トナー循環部６９Ｙが設けられている。第１トナー搬送スクリュー６６Ｙでトナー循環部６９Ｙまで搬送されたトナーは重力により、現像器６２Ｙの下部に落下する。
【００１８】
現像器６２Ｙの下部には、第２トナー搬送スクリュー６７Ｙが現像ローラ６３Ｙ、供給ローラ６４Ｙ及び第１トナー搬送スクリュー６６Ｙと平行して配設され、該第２トナー搬送スクリュー６７Ｙはトナーを第１トナー搬送スクリュー６６Ｙと逆方向に搬送するように回動され、上記現像工程で使用されなかったトナーをホッパ６１０Ｙに搬送する。
【００１９】
次に図５及び図６に基づいて、各現像器及び該現像器に着脱自在に取り付けられるトナーカートリッジの構成を説明する。図５は現像器ユニットの概略斜視図であり、図６はイエロー現像器のホッパ及びトナーカートリッジの要部を示す概略断面図である。各現像器とそれに対応するトナーカートリッジとは同様に構成されているので、イエロー現像器６２Ｙとイエロートナーカートリッジ６１１Ｙについて説明する。トナーカートリッジ６１１Ｙは正面視において、略円形弧状の外周を有すると共に回動軸の軸方向に所定幅を有する周壁６１６Ｙと、略扇形の中心側に略平行四辺形状の切欠きを有する前後側壁６１７Ｙ、６１８Ｙと、回動方向上流側側壁６１９Ｙ及び下流側側壁６２０Ｙと、前後側壁６１７Ｙ、６１８Ｙと下流側側壁６２０Ｙとに連接された底壁６２１Ｙとからなっており、該底壁６２１Ｙの一側にはホッパのトナー受入れ口に連通してトナー補給口６１３Ｙが設けられている。また、トナーカートリッジ６１１Ｙ、マゼンタトナーカートリッジ６１１Ｍ及びシアントナーカートリッジ６１１Ｃは、全体として、正面視において略円形の外周を有している。
【００２０】
前記トナーカートリッジ６１１Ｙのトナー補給口６１３Ｙの回動方向下流側の縁部に、移動阻止部としての仕切部６２２Ｙを突設すると共に、同カートリッジ６１１Ｙの周壁６１６Ｙ内面に仕切部６２２Ｙの自由端の対向位置から回転方向上流の所定位置に飛出防止部としての衝立部６２３Ｙを突設することにより、イエロー現像器６２Ｙの現像位置への回動に伴い、トナーカートリッジ６１１Ｙの側壁６１９Ｙ側に寄せられたトナーを仕切部６２２Ｙで移動を阻止し、トナー補給口６１３Ｃの上方部位に貯溜すると共に、衝立部６２３Ｙで、現像器６２Ｙの現像位置で停止の際、トナー補給口６１３Ｙの上方部位に貯溜されているトナーが停止のショックで仕切部６２２Ｙの自由端を越えて飛び出ることを防止する。
【００２１】
次に図７に基づいて、現像器ユニットの画像形成動作、トナーカートリッジからホッパへのトナーの補給について順次説明する。図７（ａ）乃至（ｄ）は、現像１色目のトナーであるイエロートナーについて、現像器ユニットの回動に伴う、各停止位置におけるイエロー現像器６２Ｙ及びトナーカートリッジ６１１Ｙ内部でのイエロートナーの移動状態の説明図である。
【００２２】
まず、現像器ユニット６の画像形成動作について説明する。現像器ユニット６は、図７（ａ）でホームポジションとなっており、イエロー現像器６２Ｙは現像待機位置にあることを示している。続いて、現像器ユニット６を所定角度回動し、イエロー現像器６２Ｙを図７（ｂ）で示される現像位置へ変位し、同現像器６２Ｙでイエロー画像を形成する。さらに、現像器ユニット６を所定角度回動し、マゼンタ現像器６２Ｍを図７（ｃ）で示される現像位置へ変位し、同現像器６２Ｍでマゼンタ画像を形成する。そして、現像器ユニット６を所定角度回動し、シアン現像器６２Ｃを図７（ｄ）で示される現像位置へ変位し、同現像器６２Ｃでシアン画像を形成する。各現像器による現像が終了すると、現像器ユニット６は基準位置に戻り、画像形成動作時以外の時、即ち、作像動作前および作像動作後には基準位置で停止し、待機する。
（以下、余白）
【００２３】
次いで、各トナーカトリッジからそれぞれ対応する現像器のホッパへのトナーの補給について説明する。まず、現像１色目のトナーとしてイエロートナーの移動について説明する。現像器ユニット６の回動に伴い、イエロー現像器６２Ｙ及びトナーカートリッジ６１１Ｙが図７（ｃ）の状態から（ｄ）の状態へと変化する過程で、トナーカトリッジ６１１Ｙ内のトナーは、仕切部６２２Ｙを流下して該仕切部６２２Ｙと衝立部６２３Ｙとの間から同カートリッジ６１１Ｙの回転方向上流側の側壁６１９Ｙ側に移動し、側壁６１９Ｙの上方部位に貯留される共に、その一部がトナー補給口６１３Ｙからホッパ６１０Ｙのトナー受入れ口６１２Ｙを介してホッパ６１０Ｙ内に移動する。次いで、現像器ユニット６の回動に伴い、現像器６２Ｙとトナーカートリッジ６１１Ｙとが図７（ｄ）の状態から（ａ）の状態へと変化する過程で、側壁６１９Ｙの上方部位に貯留されているトナーは、トナー補給口６１３Ｙからトナー受入れ口６１２Ｙを介してホッパ６１０Ｙ内に移動すると共に、衝立部６２３Ｙ上のトナーは衝立部６２３Ｙを流下し、衝立部６２３Ｙと仕切部６２２Ｙとの間からトナーカートリッジ６１１Ｙのトナー補給口６１３Ｙに向かって移動する。そして、図７（ａ）の状態で、トナーカートリッジ６１１Ｙのトナー補給口６１３Ｙは現像器６２Ｙのトナー受入れ口６１２Ｙの斜め上方に位置するので、トナー補給口６１３Ｙの上方部位に貯留されているトナーは、トナー補給口６１３Ｙからトナー受入れ口６１２Ｙを介してホッパ６１０Ｙ内に流入する。さらに、現像器ユニット６の回動に伴い、イエロー現像器６２Ｙ及びトナーカートリッジ６１１Ｙが図７（ａ）の状態から（ｂ）の状態へと変化する過程で、トナー補給口６１３Ｙの上方部位に仕切部６２２Ｙおよび衝立部６２３Ｙで堰止められ貯留されているトナーは、トナーカートリッジ６１１Ｙの回動に伴う移動力を受けており、イエロー現像器６２Ｙが現像位置に到達し停止する際、トナー補給口６１３Ｙの上方部位に貯留されているトナーの内、衝立部６２３Ｙから上流側のトナーは停止のショックによる飛出しが衝立部６２３Ｙで防止されて、仕切部６２２Ｙの自由端を越えて飛び出ることがない。
【００２４】
上述のように、現像１色目のトナーがイエロートナーである場合、イエロー現像器とトナーカートリッジは図７（ａ）における現像待機位置でトナー補給口がトナー受入れ口の略上方に位置しており、この位置から現像位置に回動するため、トナーの補給において２色目のマゼンタ、３色目のシアンの各現像器とトナーカートリッジの現像待機位置に比べて有利でトナーの補給における補給時間が長くとれ、また現像器ユニットの回動する角度も少なくなっている。
【００２５】
ついで、図８に基づいて、現像２色目のトナーがマゼンタトナーである場合について現像器６２Ｍとトナーカートリッジ６１１Ｍとの間のトナーの移動について説明する。現像器ユニット６が回動し、現像器６２Ｍとトナーカートリッジ６１１Ｍとが図８の（ａ）の状態から（ｂ）の状態になる過程で、トナーカトリッジ６１１Ｍ内のトナーは、衝立部６２３Ｍを流下して該衝立部６２３Ｍと仕切部６２２Ｍとの間から同カートリッジ６１１Ｍの回転方向上流側の側壁６１９Ｍ側に移動し、側壁６１９Ｍの上方部位に貯留されると共に、その一部がトナー補給口６１３Ｍからホッパのトナー受入れ口６１２Ｍを介してホッパ６１０Ｍ内に移動する。次いで、現像器ユニット６が所定角度回動し、現像器６２Ｍとトナーカートリッジ６１１Ｍとが図８の（ｂ）の状態から（ｃ）の状態になる過程で、側壁６１９Ｍの上方部位に貯留されているトナーは、トナー補給口６１３Ｍからトナー受入れ口６１２Ｍを介してホッパ６１０Ｍに補給されると共に、衝立部６２３Ｍ上のトナーは衝立部６２３Ｍを流下し、衝立部６２３Ｍと仕切部６２２Ｍとの間から同カートリッジ６１１Ｍのトナー補給口６１３Ｍの上方部位に移動する。
以上のように、マゼンタトナーのトナーカートリッジからホッパへのトナーの補給は安定して行われ、かつ現像器が現像位置に到達し停止する際、トナー補給口６１３Ｍの上方部位に貯留されているトナーの内、衝立部６２３Ｍから上流側のトナーは停止のショックによる飛出しが衝立部６２３Ｍで防止されて、仕切部６２２Ｍの自由端を越えて飛び出ることがない。また、現像３色目のトナーであるシアンについては上述のマゼンタの場合と同様であるので説明を省略する。
【００２６】
また、飛出防止部は軸方向における全幅が移動阻止部と略同じであるのが好ましい。
【００２７】
これによれば、補給口上方部位に貯留されている現像剤が移動阻止部の全幅にわたって、その自由端を越えて飛び出ることを防止できるので、現像剤を補給口上方部位に軸方向の全幅にわたり略均一に貯留できるという優れた効果がある。
【００２８】
また、移動阻止部及び飛出防止部の少なくとも先端部が正面視において略平行となるのが好ましい。
【００２９】
これによれば、上記移動阻止部と飛出防止部との間で現像剤の詰まりが防止されるので、回動型現像装置の回動に伴って、現像剤容器内の補給口上方部位に現像剤が効果的に貯留されるという優れた効果がある。
【００３０】
また、トナーカートリッジ６１１Ｙの衝立部６２３Ｙの自由端が仕切部６２２Ｙの自由端より回転軸に近いことが好ましい。
【００３１】
上述の実施形態では衝立部６２３Ｙが周壁６１６Ｙに固定されていたので、トナー補給口６１３Ｙの上方部位の仕切部６２２Ｙと衝立部６２３Ｙとの間のトナーが、イエロー現像器６２Ｙが現像位置に到達し停止する時、停止のショックで仕切部６２２Ｙの自由端を越えて飛び出る可能性がある。そこで、このようなトナーの飛出しを防止するための改良について説明する。
【００３２】
図９は上記実施形態の改良を示すものである。トナーカートリッジ６１１Ｙの周壁６１６Ｙ内面に、仕切部６２２Ｙの自由端の対向位置から回動Ｃ方向の上流側の所定位置に回動可能に支持された回動部材としての回動板６２４Ｙを設けるようにする。これにより、イエロー現像器６２Ｙが現像位置に到達し停止した際に、停止のショックでトナー補給口６１３Ｙの上方部位に貯留されているトナーで回動板６２４Ｙの上流側にある部分が仕切部６２２Ｙの自由端を越えて飛出ようとしても回動板６２４Ｙで飛出しが防止されてトナー補給口６１３Ｙの上方部位に戻され貯留される、よって貯留されているトナーの減少を防ぐことができ、トナーカートリッジ６１１Ｙからホッパ６１０Ｙへ安定してトナーの補給ができる。
【００３３】
さらに好ましくは、現像器が現像位置に到達し停止した際に、回動板の自由端が回動方向の下流側に回動することを仕切部が当接・阻止するようにする。これにより、現像器が現像位置に停止した際に、トナー補給口の上方部位に貯留されているトナーがその停止のショックで仕切部の自由端を越えて飛出ようとしても回動板で飛出しが防止されてトナー補給口の上方部位に戻され貯留される、よってトナーが減少することがなく、トナーカートリッジからホッパへ安定してトナーの補給ができる。さらに、衝立部の自由端が仕切部に当接するので、仕切部と衝立部との間からトナーが漏れることがなく、トナーを確実に貯留することができ、トナーカートリッジからホッパへ安定してトナーの補給ができると共に、トナーを使いきることができる。
【００３４】
【発明の効果】
請求項１の発明によれば、現像剤容器の現像剤補給口の現像器回転方向下流側の縁部に移動阻止部を設けた画像形成装置において、現像剤容器の周壁内面における移動阻止部の自由端の対向位置から回動方向の上流側の所定位置に、移動阻止部の自由端を越えて飛び出ることを防止する飛出防止部を突設し、現像器が現像位置に到達し停止した際、その停止時のショックにより現像剤容器の補給口上方部位に貯留されている現像剤が移動阻止部の自由端を越えて飛び出ることを確実に防止するので、補給口上方部位に貯留されている現像剤の減少を抑えて現像剤容器から現像器の現像剤収容部に補給ができるという優れた効果がある。
【００３５】
特に、現像２色目以降の現像剤の場合、現像剤容器が現像待機位置で１色目の現像剤と比べて補給が難しいなかで、現像剤補給口の上方部位に貯留された現像剤が、停止時のショックで移動阻止部の自由端を越えて飛び出ることを防止するので、補給口上方部位に貯留されている現像剤を減少を抑えて現像剤容器から現像器の現像剤収容部に補給ができるという優れた効果がある。
【図面の簡単な説明】
【図１】本実施形態に係るフルカラープリンタの概略構成図を示す正面図。
【図２】同フルカラープリンタにおける現像器ユニットの概略断面図。
【図３】同現像器ユニットにおけるイエロー現像器の概略断面図。
【図４】同イエロー現像器の縦断面図。
【図５】同現像器ユニットの概略斜視図。
【図６】同イエロートナーカートリッジの要部の概略断面図。
【図７】（ａ）乃至（ｄ）は、１色目のイエロートナーについて、現像器ユニットの回動による各位置におけるイエロー現像器及びトナーカートリッジ内部でのトナー移動の説明図。
【図８】（ａ）乃至（ｃ）は、２色目のマゼンタトナーについて、現像器ユニットの回動による各位置におけるマゼンタ現像器及びトナーカートリッジ内部でのトナーの移動の説明図。
【図９】トナーが仕切部の先端部を越えて飛び出ることを防止するための他の構造形態の説明図。
【符号の説明】
１        ベルト状感光体
６        現像器ユニット
６２Ｙ    イエロー現像器
６１０Ｙ  イエロー現像器のホッパ
６１１Ｙ  イエロートナーカートリッジ
６１２Ｙ  ホッパのトナー受入れ口
６１３Ｙ  トナーカートリッジのトナー補給口
６２２Ｙ  トナーカートリッジの仕切部
６２３Ｙ  トナーカートリッジの衝立部
６１６Ｙ  トナーカートリッジの周壁
６２４Ｙ  回動板
Ｃ        現像器ユニットの回動方向
【図１】
0003668608.tif 000002
【図２】
0003668608.tif 000003
【図３】
0003668608.tif 000004
【図４】
0003668608.tif 000005
【図５】
0003668608.tif 000006
【図６】
0003668608.tif 000007
【図７】
0003668608.tif 000008
【図８】
0003668608.tif 000009
【図９】
0003668608.tif 000010